(57)【要約】【課題】  デザイン性と機能性に優れたフィッシング用に適する巻き取り具を提供する。【解決手段】  円筒状収容部１４を備え、この円筒状収容部１４の一方の面に軸受け固定孔１８を有し他方の面を解放した外ケース１２を備える。回転ドラム２２は、円筒状収容部１４に収容され、軸受け固定孔１８に固定される軸受け３６により回転可能に支持され、外ケース１２の解放面側に外フランジ２４の外側面を露出させる。ワイヤ６０は、回転ドラム２２の胴部２６に一端を固定して巻き付けられ、外ケース１２のガイド孔２１から引き出される。ゼンマイばね６２は、軸受け３６に巻き始め端６８を固定し、回転ドラム２２の胴部２６に巻き終わり端６９を固定し、回転ドラム２２に対して、ワイヤ６０の引き出しに抗する方向に向かって回転力を与える。【選択図】図１
0003105523.tif 000002
【実用新案登録請求の範囲】
【請求項１】
円筒状収容部１４を備え、この円筒状収容部１４の一方の面に軸受け固定孔１８を有し他方の面を解放した外ケース１２と、
前記円筒状収容部１４に収容され、前記軸受け固定孔１８に固定される軸受け３６により回転可能に支持され、前記外ケース１２の解放面側に外フランジ２４の外側面を露出させた回転ドラム２２と、
前記回転ドラム２２の胴部２６に一端を固定して巻き付けられ、前記外ケース１２のガイド孔２１から引き出されるワイヤ６０と、
前記軸受け３６に巻き始め端６８を固定し、前記回転ドラム２２の胴部２６に巻き終わり端６９を固定し、前記回転ドラム２２に対して、前記ワイヤ６０の引き出しに抗する方向に向かって回転力を与える、ゼンマイばね６２を備えたことを特徴とする巻き取り具。
【請求項２】
請求項１に記載の巻き取り具において、
前記外フランジ２４の外側面には、任意の装飾６６を施したことを特徴とする巻き取り具。
【請求項３】
請求項１に記載の巻き取り具において、
回転ドラム２２を軸受け３６により支持して、その軸受け３６に対して前記回転ドラム２２が自由回転するように、前記軸受け３６を前記回転ドラム２２に設けた軸孔３５に固定する固定手段と、
前記軸受け３６の一端を、外ケース１２の軸受け固定孔１８に対して、前記軸受け３６と外ケース１２とを一体化するように固定する固定手段を備えたことを特徴とする巻き取り具。
【考案の詳細な説明】
【技術分野】
【０００１】
本考案は、衣服等に固定して、伸縮式のワイヤ先端に任意の小物を連結し、小物の脱落や紛失を防止する等の目的で使用される、巻き取り具に関する。
【背景技術】
【０００２】
例えば、魚釣りをするときには、針、錘、浮き、テグス等の様々な小物を所持しなければならない。これらの小物を入れた各種のケースが、足場の悪い釣り場で下に落ちて紛失しないように、衣服に工夫をした技術が公開されている。（特許文献１）
【特許文献１】特開２０００−２１７４８５号公報
【考案の開示】
【考案が解決しようとする課題】
【０００３】
衣服にケースを固定するためのものとして、上記のほかに、ワイヤーをスプリングの力で巻き込む、コンベックスのような機能を持つ巻き取り具が利用されている。従来の巻き取り具は、ケース中に収納されたドラムにワイヤが巻き付けられた構造をしている。ケースの孔からワイヤを引き出すと、その先端に連結した小物を、ワイヤの長さだけたぐり寄せることができる。また、手を離すと、ゼンマイばねの力でワイヤがケース中に巻き込まれて、ケースとともに小物が衣服に密着した状態になる。しかしながら、ワイヤには頻繁に張力や衝撃が加わるために、ワイヤが切断し易いという問題があった。しかも、組み立て時にワイヤがケースの蓋やばねに挟まれて傷つくことがあった。また、ワイヤを巻き付けたドラムはケース内部に収納されており、ケースの分解も容易でないことから、点検や調整も難しいという問題があった。
本考案は以上の点に着目してなされたもので、堅牢で耐久性があり、修理が容易でデザイン性にも優れた巻き取り具を提供することを目的とする。
【課題を解決するための手段】
【０００４】
本考案の各実施例においては、それぞれ次のような構成により上記の課題を解決する。
〈構成１〉
円筒状収容部１４を備え、この円筒状収容部１４の一方の面に軸受け固定孔１８を有し他方の面を解放した外ケース１２と、上記円筒状収容部１４に収容され、上記軸受け固定孔１８に固定される軸受け３６により回転可能に支持され、上記外ケース１２の解放面側に外フランジ２４の外側面を露出させた回転ドラム２２と、上記回転ドラム２２の胴部２６に一端を固定して巻き付けられ、上記外ケース１２のガイド孔２１から引き出されるワイヤ６０と、上記軸受け３６に巻き始め端６８を固定し、上記回転ドラム２２の胴部２６に巻き終わり端６９を固定し、上記回転ドラム２２に対して、上記ワイヤ６０の引き出しに抗する方向に向かって回転力を与える、ゼンマイばね６２を備えたことを特徴とする巻き取り具。
【０００５】
回転ドラム２２へのワイヤ６０の巻き付けや、軸受け３６へのゼンマイばね６２の巻き付けを終えてから、軸受け３６を軸受け固定孔１８に固定するようにして組み立てることができる。軸受け３６は片持ち状態で回転ドラム２２を支持する。従って、各部に無理な力を加えずに組み立てができる。また、ワイヤ６０の両端を確実に胴部２６と端金具５８に固定して、堅牢で故障を減少させることができる。さらに、回転ドラム２２の外側面が露出しており、回転ドラム２２の回転が外部から見えるので、装飾効果を呈するという効果がある。
【０００６】
〈構成２〉
構成１に記載の巻き取り具において、上記外フランジ２４の外側面には、任意の装飾６６を施したことを特徴とする巻き取り具。
【０００７】
ワイヤ６０の引き出しや収納時に回転ドラム２２が回転する。このとき、外ケース１２の解放面から回転ドラム２２の外フランジ２４が回転するところを観察できる。外フランジ２４の外側面に装飾を施してその装飾が回転すると、使用者の目を楽しませる効果がある。即ち、組み立てやメンテナンスを容易にするために外ケース１２から回転ドラム２２の外フランジ２４を露出させたが、その結果、回転ドラム２２の外フランジ２４に施された装飾６６による趣味的効果が発揮される。
【０００８】
〈構成３〉
構成１に記載の巻き取り具において、回転ドラム２２を軸受け３６により支持して、その軸受け３６に対して上記回転ドラム２２が自由回転するように、上記軸受け３６を上記回転ドラム２２に設けた軸孔３５に固定する固定手段と、上記軸受け３６の一端を、外ケース１２の軸受け固定孔１８に対して、上記軸受け３６と外ケース１２とを一体化するように固定する固定手段を備えたことを特徴とする巻き取り具。
【０００９】
軸受け３６に対して回転ドラム２２が自由回転するように、軸受け３６を回転ドラム２２に設けた軸孔３５に固定するので、外ケース１２の組み立て前に、軸受け３６にゼンマイばね６２を最適な状態で巻き付けることができる。また、軸受け３６の一端を、外ケース１２の軸受け固定孔１８に固定するときに、ゼンマイばね６２がワイヤ６０に及ぼす回転力を最適値に自由に調整できる。
【考案を実施するための最良の形態】
【００１０】
以下、本考案の実施の形態を実施例ごとに詳細に説明する。
【実施例１】
【００１１】
図１（ａ）は、実施例１の巻き取り具の上面図、（ｂ）は縦断面図である。また、図２は、巻き取り具の正面図である。
図の巻き取り具は、外ケース１２に回転ドラム２２を収容したものである。外ケース１２は、回転ドラム２２を収納するための円筒状収容部１４を備える。この円筒状収容部１４の一方の面は、軸受け固定孔１８を有し、他方の面は解放されている。換言すれば、蓋のない筒状をしている。
【００１２】
図３（ａ）は外ケース１２の正面図、（ｂ）は軸受け３６の分解側面図、（ｃ）は軸受け３６の左端面図、（ｄ）は軸受け３６の右端面図である。
図のように、外ケース１２の中央には円筒状収容部１４が設けられ、その一方の面の中央に、軸受け３６を固定するための軸受け固定孔１８が設けられている。また、上側壁には、固定金具５０を固定するための一対の軸受け固定孔１８が設けられている。軸受け３６は一方の端に雌ねじ部３８を備え、他方の端に雄ねじ部４２を備える。
【００１３】
雌ねじ部３８にはビス４４がねじ込まれる。雄ねじ部４２にはナット４６がねじ込まれる。軸受け３６は、雄ねじ部４２を外ケース１２の軸受け固定孔１８に挿入して、ナット４６を用いて固定される。即ち、ナット４６は、軸受け３６と外ケース１２とを一体化するように固定する固定手段として機能する。なお、軸受け３６には、後で説明するように、ゼンマイばね６２の巻き始め端６８を接続固定するバネ係止スリット４０が設けられている。
【００１４】
なお、上記のビス４４は、回転ドラム２２を軸受け３６により支持して、その軸受け３６に対して回転ドラム２２が自由回転するように、軸受け３６を回転ドラム２２に設けた軸孔３５に固定する固定手段として機能する。従って、雌ねじ部３８の長さは回転ドラム２２の外フランジ２４の厚みより若干長く選定され、雌ねじ部３８の外径は回転ドラム２２の軸孔３５の内径よりも若干小さく選定されている。ビス４４は、回転ドラム２２の脱落防止のため軸孔３５の内径よりも十分に大きな外形のねじ頭を持つ。
【００１５】
一方、回転ドラム２２は、外ケース１２の軸受け固定孔１８に固定される軸受け３６により回転可能に支持され、外ケース１２の解放面側に外フランジ２４の外側面を露出させている。ワイヤ６０は、回転ドラム２２の胴部２６に一端を固定して巻き付けられ、外ケース１２のガイド孔２１から引き出される。ゼンマイばね６２は、軸受け３６に巻き始め端６８を固定し、回転ドラム２２の胴部２６に巻き終わり端６９を固定し、回転ドラム２２に対して、ワイヤ６０の引き出しに抗する方向に向かって回転力を与える機能を持つ。
【００１６】
図４の（ａ）は回転ドラム２２の正面図、（ｂ）は右側面図、（ｃ）は裏面図、（ｄ）は左側面図である。
回転ドラム２２は、図の（ｂ）に示すように外フランジ２４と内フランジ２５で胴部２６を挟んだ構成をしている。外フランジ２４の外側に露出される表面には、図の（ａ）のような様々な任意の装飾を施すことができる。この例では、フライフィッシングに使われるリールに似せた模様が描かれている。従って、釣り愛好者が利用する場合に、デザイン的に非常に魅力ある商品になる。もちろん様々な模様を付けて、外フランジ２４の回転を外部から確認できるようにしてよい。なお、装飾６６は、この例では、外フランジ２４の表面に描いた平坦な模様ではなく、切削加工された多数の穴により構成されている。
【００１７】
胴部２６には、引き延ばしたり、巻き取ったりすることのできるワイヤ６０（図１）が巻き付けられる。このワイヤ６０の一端は、図４（ｄ）に示すワイヤ端係止孔３４で固定される。すなわち、ワイヤ端係止孔３４にワイヤ６０の端を通してゼンマイ収納部２８側にストッパーになるような結び目を作れば、ワイヤ６０の端がしっかりと固定される。その状態で胴部２６の周りにワイヤ６０を巻き付ける。
【００１８】
胴部２６の内側には、ゼンマイ収納部２８が設けられている。ここにゼンマイばね６２（図１）が巻き込まれる。図４（ａ）に示すように、回転ドラム２２の軸部には、軸孔３５が設けられている。ここに既に説明した軸受け３６（図３（ｂ））の雌ねじ部３８を差し込む。胴部２６には、バネ端係止孔３２が設けられている。これは、ゼンマイ収納部２８に巻き込まれるゼンマイばね６２の端を固定するためのものである。
【００１９】
図５の（ａ）は、ゼンマイばね６２を巻き込んだ状態の回転ドラム２２を示す平面図、（ｂ）は、ゼンマイばね６２の平面図、（ｃ）は、端金具５８とゴムブッシュ５９の側面図、（ｄ）は端金具５８の別の方向から見た側面図である。
図５（ａ）に示すように、回転ドラム２２の中心には、軸受け３６が固定される。軸受け３６は既に説明した通り、外ケース１２（図１）と一体化されており外ケース１２は回転しない。従って、回転ドラム２２は軸受け３６によって自由に回転するように支持されている。
【００２０】
この軸受け３６のバネ係止スリット４０に、ゼンマイばね６２の巻き始め端６８をはめ込んで固定する。そして、ゼンマイばね６２を軸受け３６に巻き付けるように渦巻き状にして、回転ドラム２２のゼンマイ収納部２８に収納する。ゼンマイばね６２の巻き終わり端６９は、最も外側に配置される。これが内フランジ２５の切り欠き３０を通って胴部２６の外周部分に引き出される。さらに、巻き終わり端６９の末端にある係止端７０を、回転ドラム２２のバネ端係止孔３２に通して、ゼンマイ収納部２８側に配置する。
【００２１】
これによってゼンマイばね６２の巻き終わり端６９が回転ドラム２２の胴部２６側にしっかりと固定される。この状態で回転ドラム２２を矢印Ｂの方向にさせると、ゼンマイばね６２が軸受け３６の外周に全体としてさらに小さい半径に巻き付けられるよう変形する。その後、回転ドラム２２をはなすと、ゼンマイばね６２の反発力によって回転ドラム２２が矢印Ａ方向に回転する。
【００２２】
従って、ワイヤ６０を回転ドラム２２の胴部２６に巻き付け、ワイヤ６０を引き出した時に回転ドラム２２をＢ方向に回転させると、ワイヤ６０には常に矢印Ａ方向へ巻き戻そうとする力が加わる。ワイヤ６０を引き出す力を解放すれば、ワイヤ６０は、再び回転ドラム２２の胴部２６に巻き付けられるよう引き戻される。こうした作業を繰り返し行うと、従来の装置は、頻繁にワイヤ６０と回転ドラム２２との固定部分が外れたり、ワイヤ６０自体が切断したりした。この考案では、さらにワイヤ６０の耐久性を高めるために、組み立てや分解時にワイヤ６０に無理な力が加わらないようにし、両端の固定方法も改善した。
【００２３】
例えば、図５（ｃ）に示すように、ワイヤ６０のケース外側の端は、端金具５８に設けられた端止孔７３の内部で固定される。ワイヤ６０の一端には、大径部７４のような結び目が形成され、端金具５８の端止孔７３からの抜けが防止される。ゴムブッシュ５９の透孔７５を貫くようにしてワイヤ６０が外ケース１２の内部に巻き込まれる。連結孔５７は、端金具５８をその長手方向と交差する方向に貫くもので、ここに図１に示したような連結環５６を取り付けて、例えば、鍵や財布、その他様々な小物や道具を結び付ける。ゴムブッシュ５９は、ゴムやプラスティックなどの弾性体で製造され、端金具５８が外ケース１２に衝突した時のショックを和らげる機能を持つ。
【００２４】
以上説明をした巻き取り具は、ゼンマイばね６２のばね力の調整作業が、回転ドラム２２を外ケース１２に収納した後で行うことができる。回転ドラム２２を外ケース１２に収納する前の工程で、ゼンマイばね６２を軸受け３６に取り付けてしまうことができるので、組み立て時にワイヤ６０をゼンマイばね６２のエッジで傷付けるおそれがない。また、外ケース１２に全体を密封して収納する構成でないので、ワイヤ６０を回転ドラム２２と外ケース１２の間に挟み込んで傷を付けるといった事故も防止できる。故に、巻き取り具の耐久性が向上する。
【００２５】
すなわち、組み立て工程では、図５に示したように、まず、回転ドラム２２に軸受け３６を取り付け、その後、ゼンマイばね６２をゼンマイ収納部２８の内部に収納する。この作業は、ゼンマイばね６２の巻き始め端６８を軸受け３６に固定し、その後巻き終わり端６９を回転ドラム２２のバネ端係止孔３２に固定するという手順が採用できる。回転ドラム２２やゼンマイばね６２に無理な力を加えることなく、簡単な作業で図５（ａ）に示したような状態の半製品が出来上がる。
【００２６】
その後に、ワイヤ６０の一端を図４の（ｄ）に示したワイヤ端係止孔３４に固定し、胴部２６の外周に巻き付ける。ワイヤ６０の巻き付けは、ゼンマイばね６２の組み込みが終了した後でよいから、ゼンマイばね６２のエッジで傷付けられるのが防止できる。次に、図３（ａ）に示した外ケース１２と組み合わせる。予め、回転ドラム２２の胴部２６に巻き付けられたワイヤ６０の先端を、外ケース１２のガイド孔２１から引き出す。そして、図５（ｃ）に示したように、ゴムブッシュ５９と端金具５８を装着する。
【００２７】
この時もワイヤ６０に特に強い力を与えたりする必要はない。ワイヤ６０を外ケース１２のガイド孔２１から引き出し、ワイヤ６０にねじれや張力を加えることなく、回転ドラム２２を外ケース１２の円筒状収容部１４にはめ込むことができる。このとき、軸受け３６の雄ねじ部４２を外ケース１２の軸受け固定孔１８にはめ込む。次に雄ねじ部４２にナット４６をねじ込んで、図１（ｂ）に示したような状態にする。
【００２８】
ここで、ナット４６をしっかりと締め付けることによって軸受け３６と外ケース１２とを一体化する。その時、回転ドラム２２の外フランジ２４に手を添えて外ケース１２に対し、ビス４４の回転角を調整しながらナット４６を締め付ける。この作業によって、ゼンマイばね６２のバネ力を調整する。このバネ力調整の際にも、ワイヤ６０に無理な力が加わることがない。また、ゼンマイばね６２は、軸受け３６に巻き始め端６８を固定し、ゼンマイ収納部２８の内部に正常な形で収納されているので、ゼンマイばね６２に対しても無理な力やねじれが加わることがない。
【００２９】
以上のような組み立て工程を採用できるので、全体として耐久性の強い装置が完成する。また、使用開始後に、ワイヤ６０の引き込み力に狂いが生じたときは、本体を分解する必要はない。ナット４６の締め付けを緩めて、軸受け３６の回転角を調整しながら再びナット４６を締め付ければ、調整が完了する。装置の分解を必要としないからその後もワイヤ６０を傷付けることがなく、装置の耐久性に影響を及ぼさない。また、図２に示したように、任意の形状の固定金具５０を外ケース１２に対し固定ネジ５４等で固定し、固定金具５０の貫通孔５２にはめ込んだ固定輪４８で、衣服などに巻き取り具を固定すると、装置を丈夫に安定に、衣服等に固定できるという効果がある。
【図面の簡単な説明】
【００３０】
【図１】（ａ）は、実施例１の巻き取り具の上面図、（ｂ）は縦断面図である。
【図２】巻き取り具の正面図である。
【図３】（ａ）は外ケース１２の正面図、（ｂ）は軸受け３６の分解側面図、（ｃ）は軸受け３６の左端面図、（ｄ）は軸受け３６の右端面図である。
【図４】（ａ）は回転ドラム２２の正面図、（ｂ）は右側面図、（ｃ）は裏面図、（ｄ）は左側面図である。
【図５】（ａ）は、ゼンマイばね６２を巻き込んだ状態の回転ドラム２２を示す平面図、（ｂ）は、ゼンマイばね６２の平面図、（ｃ）は、端金具５８とゴムブッシュ５９の側面図、（ｄ）は端金具５８の別の方向から見た側面図である。
【符号の説明】
【００３１】
１２  外ケース
１４  円筒状収容部
１６  開口
１８  軸受け固定孔
２０  ねじ孔
２１  ガイド孔
２２  回転ドラム
２４  外フランジ
２５  内フランジ
２６  胴部
２８  ゼンマイ収納部
３０  切り欠き
３２  バネ端係止孔
３４  ワイヤ端係止孔
３５  軸孔
３６  軸受け
３８  雌ねじ部
４０  バネ係止スリット
４２  雄ねじ部
４４  ビス
４６  ナット
４８  固定輪
５０  固定金具
５２  貫通孔
５４  固定ネジ
５６  連結環
５７  連結孔
５８  端金具
５９  ゴムブッシュ
６０  ワイヤ
６２  ゼンマイばね
【図１】
0003105523.tif 000003
【図２】
0003105523.tif 000004
【図３】
0003105523.tif 000005
【図４】
0003105523.tif 000006
【図５】
0003105523.tif 000007